(57)【要約】【課題】非接触ＩＣタグの破損を未然に防止するとともに、通信阻害を確実に回避することのできる非接触ＩＣタグ付き容器を提供すること。【解決手段】開口部２Ａが形成された胴部２ａと、開口部２Ａに対向する底部２ｂとを有する容器本体２と、胴部２ａの外側に空間を確保しつつ配置されるスリーブ３と、を備え、胴部２ａとスリーブ３との間に非接触ＩＣタグ４を設けたものである。【選択図】図１
2007230641.tif 000002
【特許請求の範囲】
【請求項１】
開口部が形成された胴部と、前記開口部に対向する底部とを有する容器本体と、
前記胴部の外側に空間を確保しつつ配置されるスリーブと、を備え、
前記胴部と前記スリーブとの間に非接触ＩＣタグを設けたことを特徴とする非接触ＩＣタグ付き容器。
【請求項２】
請求項１に記載の非接触ＩＣタグ付き容器において、
前記非接触ＩＣタグは、前記スリーブの内面に貼着されていることを特徴とする非接触ＩＣタグ付き容器。
【請求項３】
請求項１に記載の非接触ＩＣタグ付き容器において、
前記胴部は、外面側から紙／ポリエチレン樹脂層、紙／ポリエチレン樹脂層／ポリアミド繊維層／ポリエチレン樹脂層、紙／ポリエチレン樹脂層／アルミニウム箔／ポリエチレン樹脂層のいずれかの積層体から形成されていることを特徴とする非接触ＩＣタグ付き容器。
【請求項４】
請求項１に記載の非接触ＩＣタグ付き容器において、
前記スリーブは、紙から形成されていることを特徴とする非接触ＩＣタグ付き容器。
【請求項５】
開口部が形成された胴部と、前記開口部に対向し下面に凹部が形成された底部とを有する容器本体を備え、
前記底部下面の凹部に非接触ＩＣタグが貼着されていることを特徴とする非接触ＩＣタグ付き容器。
【請求項６】
請求項５に記載の非接触ＩＣタグ付き容器において、
前記容器本体は、紙又は耐酸紙の少なくとも内面にポリエチレン樹脂層が積層されていることを特徴とする非接触ＩＣタグ付き容器。
【請求項７】
請求項５に記載の非接触ＩＣタグ付き容器において、
前記容器本体は、外面側から紙／ポリエチレン樹脂層／アルミニウム箔／ポリエチレン樹脂層の積層体であることを特徴とする非接触ＩＣタグ付き容器。
【請求項８】
請求項５に記載の非接触ＩＣタグ付き容器において、
前記容器本体は、紙の内面にポリエチレン樹脂層が積層され、かつ前記紙の外面に発泡粒子を含有したポリエチレン樹脂層が積層されていることを特徴とする非接触ＩＣタグ付き容器。
【請求項９】
開口部が形成された胴部と、前記開口部に対向する底部とを有する容器本体を備え、
前記胴部の外面に凹陥部が形成され、当該凹陥部に非接触ＩＣタグが収納されていることを特徴とする非接触ＩＣタグ付き容器。
【発明の詳細な説明】
【技術分野】
【０００１】
本発明は、非接触で情報データの読み書きが可能な非接触ＩＣタグが設けられた非接触ＩＣタグ付き容器に関する。
【背景技術】
【０００２】
近年、非接触で情報データの読み書きが可能な非接触ＩＣタグは、バーコードに比べて記憶データ容量を大きくすることができるだけでなく、汚れに対しても強く、しかも物理的強度を充分保持できるので、繰り返し再利用が可能である。
【０００３】
このような非接触ＩＣタグを実装したものとしては、例えば特許文献１に開示された発明がある。この発明に係る非接触ＩＣタグを有する梱包体は、被梱包物を保護するための保護資材に非接触ＩＣタグを脱着可能な状態で装着し、被梱包物を保護資材で保護して、被梱包物に関する情報を目視可能な文字で印字してある帳票が貼付されている電磁波透過性容器にいれて梱包し、この電磁波透過性容器の底部に非接触ＩＣタグを装着したものである。
【特許文献１】特開２００５−４１４８５号公報
【発明の開示】
【発明が解決しようとする課題】
【０００４】
ところで、上記非接触ＩＣタグは、特許文献１に開示された梱包体以外に包装容器に実装することが望まれている。このように包装容器に非接触ＩＣタグを実装するには、非接触ＩＣタグの装着工程において、包装容器のシール部に装着した場合、そのシール部で非接触ＩＣタグが破損することがあり、また胴部外面に露出して装着した場合にもスタック時に破損することがある。
【０００５】
また、包装容器に非接触ＩＣタグを実装した場合には、内容物（水分）によりＵＨＦ帯域に通信阻害が生じ、あるいは装着部位の結露によって通信阻害が発生することがある。
【０００６】
本発明は、上記事情を考慮してなされたものであり、その目的とするところは、非接触ＩＣタグの破損を未然に防止するとともに、通信阻害を確実に回避することのできる非接触ＩＣタグ付き容器を提供することにある。
【課題を解決するための手段】
【０００７】
上記課題を解決するため、本発明は次のような構成を採用する。なお、本発明の理解を容易にするために添付図面の参照符号を括弧書きにて付記するが、それにより本発明が図示の形態に限定されるものではない。
【０００８】
すなわち、請求項１に係る発明は、開口部（２Ａ）が形成された胴部（２ａ）と、開口部（２Ａ）に対向する底部（２ｂ）とを有する容器本体（２）と、胴部（２ａ）の外側に空間を確保しつつ配置されるスリーブ（３）と、を備え、胴部（２ａ）とスリーブ（３）との間に非接触ＩＣタグ（４）を設けた非接触ＩＣタグ付き容器（１）であることを特徴とする。
【０００９】
請求項２に係る発明は、請求項１に記載の非接触ＩＣタグ付き容器（１）において、非接触ＩＣタグ（４）は、スリーブ（３）の内面に貼着されていることを特徴とする。
【００１０】
請求項３に係る発明は、請求項１に記載の非接触ＩＣタグ付き容器（１）において、外面側から紙／ポリエチレン樹脂層、紙／ポリエチレン樹脂層／ポリアミド繊維層／ポリエチレン樹脂層、紙／ポリエチレン樹脂層／アルミニウム箔／ポリエチレン樹脂層のいずれかの積層体から形成されていることを特徴とする。
【００１１】
請求項４に係る発明は、請求項１に記載の非接触ＩＣタグ付き容器（１）において、スリーブ（３）は、紙から形成されていることを特徴とする。
【００１２】
請求項５に係る発明は、開口部（２Ａ）が形成された胴部（２ａ）と、開口部（２Ａ）に対向し下面に凹部（２ｆ）が形成された底部（２ｂ）とを有する容器本体（２）を備え、底部（２ｂ）下面の凹部（２ｆ）に非接触ＩＣタグ（４）が貼着されている非接触ＩＣタグ付き容器（１）であることを特徴とする。
【００１３】
請求項６に係る発明は、請求項５に記載の非接触ＩＣタグ付き容器（１）において、容器本体（２）は、紙又は耐酸紙の少なくとも内面にポリエチレン樹脂層が積層されていることを特徴とする。
【００１４】
請求項７に係る発明は、請求項５に記載の非接触ＩＣタグ付き容器（１）において、容器本体（２）は、外面側から紙／ポリエチレン樹脂層／アルミニウム箔／ポリエチレン樹脂層の積層体であることを特徴とする。
【００１５】
請求項８に係る発明は、請求項５に記載の非接触ＩＣタグ付き容器において、前記容器本体（２）は、紙の内面にポリエチレン樹脂層が積層され、かつ前記紙の外面に発泡粒子を含有したポリエチレン樹脂層が積層されていることを特徴とする。
【００１６】
請求項９に係る発明は、開口部（２Ａ）が形成された胴部（２ａ）と、開口部（２Ａ）に対向する底部（２ｂ）とを有する容器本体（２）を備え、胴部（２ａ）の外面に凹陥部（６）が形成され、当該凹陥部（６）に非接触ＩＣタグ（４）が収納されている非接触ＩＣタグ付き容器（１）であることを特徴とする。
【発明の効果】
【００１７】
本発明に係る非接触ＩＣタグ付き容器（１）によれば、胴部（２ａ）とスリーブ（３）との間に非接触ＩＣタグ（４）を設けたことにより、断熱容器に設けた非接触ＩＣタグ（４）の破損を未然に防止するとともに、通信阻害を確実に回避することができる。
【００１８】
また、本発明に係る非接触ＩＣタグ付き容器（１）によれば、底部（２ｂ）下面の凹部（２ｆ）に非接触ＩＣタグ（４）を貼着したことにより、容器に設けた非接触ＩＣタグ（４）の破損を未然に防止するとともに、通信阻害を確実に回避することができる。
【００１９】
さらに、本発明に係る非接触ＩＣタグ付き容器（１）によれば、胴部（２ａ）の外面に凹陥部（６）を形成し、当該凹陥部（６）に非接触ＩＣタグ（４）を収納したことにより、容器に設けた非接触ＩＣタグ（４）の破損を未然に防止するとともに、通信阻害を確実に回避することができる。
【発明を実施するための最良の形態】
【００２０】
以下、図面を参照して本発明を実施するための最良の形態について説明する。
【００２１】
＜第１実施形態＞
図１は本発明に係る非接触ＩＣタグ付き容器の第１実施形態を示す断面図である。なお、本実施形態は、容器本体及びスリーブを備えた断熱容器に対して本発明を適用した場合の実施形態である。
【００２２】
図１に示すように、非接触ＩＣタグ付き容器である紙カップ１は、容器本体としてのカップ本体２とその外周を覆うスリーブ３とを組み合わせて構成される。カップ本体２は、開口部２Ａが形成された胴部２ａと、開口部２Ａに対向する底部２ｂとを有し、全体が略円錐台形に形成される。カップ本体２の開口部２Ａには、外側に向かってカール部２ｃが形成される。カール部２ｃの成形後、胴部２ａにリブ２ｄ，２ｅがそれぞれ紙カップ１の半径方向内側または外側に膨らむように形成される。リブ２ｄはカップ本体２への注入物（例えば湯）の適量位置を示すピーター線として設けられている。一方、リブ２ｅはカップ本体２を補強するために設けられる。このリブ２ｅはリブ２ｄよりも幾らか大きく形成される。リブ２ｄ，２ｅはスリーブ３の内面と接触しないようにそれぞれの突出量が定められる。
【００２３】
カップ本体２の素材には、外面側から例えば紙／ポリエチレン樹脂層、紙／ポリエチレン樹脂層／ポリアミド繊維層／ポリエチレン樹脂層、紙／ポリエチレン樹脂層／アルミニウム箔／ポリエチレン樹脂層のいずれかの積層体が使用されている。このようにカップ本体２は、少なくともその内面は耐熱性や耐水性を高めるためにポリエチレン樹脂層にて覆われる。
【００２４】
スリーブ３は、紙カップ１の断熱性を高めるためカップ本体２に設けられる。また、スリーブ３は、紙から形成されて下端に内向きのカール部３ａが形成される。そして、カップ本体２のカール部２ｃの直下に設定された所定の接着範囲に接着剤を塗布してカップ本体２とスリーブ３とを組み合わせ、スリーブ３の上端部３ｂとカップ本体２の胴部２ａとを相互に接着して紙カップ１が形成される。上記接着範囲は、リブ２ｄを含まないように設定される。
【００２５】
また、カップ本体２の胴部２ａとスリーブ３との間には、非接触ＩＣタグ４が設けられている。具体的には、非接触ＩＣタグ４は、スリーブ３の内面において下端に形成されたカール部３ａの近傍に接着剤等により貼着されている。
【００２６】
非接触ＩＣタグ４は、パーソナルコンピュータ等の情報端末機器に接続した書込み読出し可能なリーダライタのヘッド部に接触又は所定間隔を保持して対向させ、そのアンテナ部から発信する商品情報や商品情報以外の情報のデータに基づく所定周波数の電波による書込み信号、あるいは読出し信号により、上記アンテナ部に誘導起電力による書込み信号あるいは読出し信号を発生させる。
【００２７】
そして、その信号により、非接触ＩＣタグ４のメモリ部に商品情報や商品情報以外の情報がデータとして記録され、あるいはそのメモリ部に記録されている商品情報や商品情報以外の情報がデータとして読み出される。
【００２８】
非接触ＩＣタグ４は、予め記録されている情報データの読み出しのみが可能であることが適当であり、その場合の情報データは、その対象商品の製造者又は販売者によって予め記録される。
【００２９】
非接触ＩＣタグ４には、例えば、物流管理情報、在庫管理情報の他、商品又は包装対象商品に関する商品情報等を情報データとして記録することができ、商品情報のみが記録されていてもよい。なお、非接触ＩＣタグ４への情報の記録は、非接触ＩＣタグ４を取り付ける前でもよいし、取り付け後でもよい。
【００３０】
非接触ＩＣタグ４に記録される商品に関する商品情報としては、例えば商品名称、製造者、販売者、住所、電話番号、あるいは製造ロット、製造日付、製造機械、製造担当者等の製造情報、あるいは調理レシピ、カロリー、賞味期限、お知らせ情報、景品の当たりはずれや応募情報等のキャンペーン情報、店舗情報、あるいは原材料名、原材料生産者名、原産地名、あるいは廃棄情報等が記録されているものの、これらの情報に限定されるものではない。
【００３１】
このように本実施形態によれば、カップ本体２の胴部２ａとスリーブ３との間に非接触ＩＣタグ４を設けたことにより、非接触ＩＣタグ４が外部に露出することがなくなるので、非接触ＩＣタグ４の破損を未然に防止することができる。また、非接触ＩＣタグ４をカップ本体２の胴部２ａとスリーブ３との間に設けたので、非接触ＩＣタグ４がスペーサの機能をなし、胴部２ａに対して所望の空間を確保することができ、通信阻害を確実に回避することができる。
【００３２】
さらに、本実施形態によれば、非接触ＩＣタグ４がスリーブ３の内面に貼着されているので、胴部２ａの外面が内容物によって結露したとしても、非接触ＩＣタグ４に悪影響を与えることがなくなるので、通信阻害を一段と確実に回避することができる。そして、非接触ＩＣタグ４がスリーブ３のカール部３ａ近傍に貼着されているので、胴部２ａとスリーブ３との間の最も広い空隙に配置されることになり、若干大きい非接触ＩＣタグ４でも取り付けることができ、かつ非接触ＩＣタグ４を取り付けたことによるスリーブ３の外形の変化をなくすことができる。
【００３３】
また、本実施形態によれば、胴部２ａは、外面側から紙／ポリエチレン樹脂層、紙／ポリエチレン樹脂層／ポリアミド繊維層／ポリエチレン樹脂層、紙／ポリエチレン樹脂層／アルミニウム箔／ポリエチレン樹脂層の積層体のいずれかであるので、耐熱性や耐水性を高めることができる。
【００３４】
さらに、本実施形態によれば、スリーブ３が紙から形成されていることにより、内面に貼着した非接触ＩＣタグ４に対して電磁波を透過させることができるので、情報の書込み読出しを確実に行うことができる。
【００３５】
＜第２実施形態＞
図２は本発明に係る非接触ＩＣタグ付き容器の第２実施形態を示す断面図である。なお、前記第１実施形態と同一又は対応する部分には、図１と同一の符号を用いて説明する。以下の実施形態も同様とする。また、本実施形態は、紙カップに対して本発明を適用した場合の実施形態である。
【００３６】
図２に示すように、カップ本体２は、胴部２ａと底部２ｂとを有する略円錐台形に形成される。カップ本体２の口部には外側に向かってカール部２ｃが形成される。また、カップ本体２の底部２ｂは、その周縁部が下方に折曲されて凹部２ｆが形成される。
【００３７】
さらに、カップ本体２の底部２ｂ下面に形成された凹部２ｆには、上述した非接触ＩＣタグ４が貼着されている。具体的には、非接触ＩＣタグ４は、底部２ｂ下面に形成された凹部２ｆ中央に接着剤等により貼着されている。
【００３８】
また、カップ本体２の素材には、飲料用の場合、外面側から例えば紙／ポリエチレン樹脂層、ポリエチレン樹脂層／紙／ポリエチレン樹脂層の積層体のいずれかが使用されている。図２に示す実施形態の場合は、内容物冷凍用カップとして用いられ、結露を防止するため、外面側からポリエチレン樹脂層５ａ／紙５ｂ／ポリエチレン樹脂層５ａの積層体が使用される。そして、高温内容物用カップの場合には、外面側から上記紙／ポリエチレン樹脂層の積層体が使用される。
【００３９】
なお、スナック菓子用カップの場合には、外面側から紙／ポリエチレン樹脂層／アルミニウム箔／ポリエチレン樹脂層の積層体が使用される。ヨーグルト用カップの場合には、ポリエチレン樹脂層／耐酸紙／ポリエチレン樹脂層の積層体が使用される。断熱用カップの場合には、紙の内面にポリエチレン樹脂層が積層され、かつ紙の外面に発泡粒子を含有したポリエチレン樹脂層を積層した積層体が使用される。
【００４０】
このようにカップ本体２は、少なくともその内面は耐熱性や耐水性を高めるためにポリエチレン樹脂層５ａにて覆われる。
【００４１】
したがって、本実施形態によれば、底部２ｂ下面に形成された凹部２ｆに非接触ＩＣタグ４を貼着したことにより、通信阻害を確実に回避することができるとともに、スタック時に非接触ＩＣタグ４が障害にならず、非接触ＩＣタグ４の破損を未然に防止することができる。
【００４２】
なお、本実施形態では、胴部２ａと底部２ｂを別体として形成した例について説明したが、これに限らず胴部２ａと底部２ｂを一体に形成した容器についても適用可能である。勿論、この場合にも底部２ｂに凹部２ｆが形成されていることが必要である。
【００４３】
＜第３実施形態＞
図３は本発明に係る非接触ＩＣタグ付き容器の第３実施形態を示す断面図である。
【００４４】
図３に示すように、カップ本体２の胴部２ａには、エンボス加工により外面側に凹陥部６が形成され、この凹陥部６に非接触ＩＣタグ４が収納されている。この場合、非接触ＩＣタグ４の外面は、胴部２ａの外面と同一面となるように収納されている。そして、非接触ＩＣタグ４は、凹陥部６に接着剤等により貼着されている。
【００４５】
但し、非接触ＩＣタグ４の胴部２ａにおける収納位置、つまりエンボス加工による凹陥部６の形成位置は、カップ本体２の胴部２ａの製造工程において破損するのを防止するため、胴部２ａのシール部（図示せず）を回避することが望ましい。
【００４６】
カップ本体２の胴部２ａの素材には、例えば前記第２実施形態のように紙／ポリエチレン樹脂層の積層体が使用される。なお、胴部２ａの素材に外面側からポリエチレン樹脂層／紙／ポリエチレン樹脂層の積層体を使用した場合には、外面側のポリエチレン樹脂層がシール機能を果たす他、非接触ＩＣタグ４に対する緩衝保護層としての機能も果たすことになる。
【００４７】
このように本実施形態によれば、胴部２ａの外面にエンボス加工による凹陥部６を形成し、この凹陥部６に非接触ＩＣタグ４を収納したことにより、通信阻害を確実に回避することができ、また非接触ＩＣタグ４の外面と胴部２ａの外面とが同一面となるように収納されているので、スタック時に非接触ＩＣタグ４が障害にならず、非接触ＩＣタグ４の破損を未然に防止することができる。その他の構成及び作用は、前記第２実施形態と同様であるので、その説明を省略する。
【図面の簡単な説明】
【００４８】
【図１】本発明に係る非接触ＩＣタグ付き容器の第１実施形態を示す断面図である。
【図２】本発明に係る非接触ＩＣタグ付き容器の第２実施形態を示す断面図である。
【図３】本発明に係る非接触ＩＣタグ付き容器の第３実施形態を示す断面図である。
【符号の説明】
【００４９】
１…紙カップ
２…カップ本体（容器本体）
２ａ…胴部
２ｂ…底部
２ｆ…凹部
３…スリーブ
４…非接触ＩＣタグ
５ａ…ポリエチレン樹脂層
５ｂ…紙
６…凹陥部
【図１】
2007230641.tif 000003
【図２】
2007230641.tif 000004
【図３】
2007230641.tif 000005